(57)【要約】【課題】座席のレイアウトに対応して設置できる３点式シートベルト装置を提供する。【解決手段】枠体３を有する車体２内に設置した座席11の着席者の胴体および腰部をベルト体12により固定する３点式シートベルト装置１である。この３点式シートベルト装置１は、枠体３に対して移動可能であり、座席11に対応する位置に固定可能な可動柱13を具備する。この可動柱13に、ベルト体12の一部を摺動自在に引っ掛けるガイド部材14を取り付ける。また、可動柱13に、ベルト体12の一端側を巻き取るリトラクタ15を取り付ける。ベルト体12の他端側は座席11に固定する。そして、可動柱13が枠体３に対して移動可能であり座席11に対応した位置に固定できるため、座席11のレイアウトに対応して３点式シートベルト装置１を設置できる。【選択図】図１
2014141219.tif 000002
【特許請求の範囲】
【請求項１】
枠体を有する車体内に設置された座席の着席者の胴体および腰部をベルト体により拘束可能な３点式シートベルト装置であって、
前記枠体に対して移動可能に取り付けられ前記座席に対応する位置に固定可能な可動柱と、
この可動柱に取り付けられ前記ベルト体の一部が摺動自在に引っ掛けられたガイド部材と、
前記ベルト体を巻き取る巻取具と
を具備したことを特徴とする３点式シートベルト装置。
【請求項２】
枠体は、走行方向に沿って水平にのびる強度柱部材を有し、
可動柱は、前記強度柱部材に対して移動可能に取り付けられた
ことを特徴とする請求項１記載の３点式シートベルト装置。
【請求項３】
巻取具は、可動柱に取り付けられた
ことを特徴とする請求項１または２記載の３点式シートベルト装置。
【請求項４】
可動柱は、ガイド部材の取付強度より強固に枠体に固定される
ことを特徴とする請求項１ないし３のいずれか一記載の３点式シートベルト装置。
【発明の詳細な説明】
【技術分野】
【０００１】
本発明は、装着者の胴体および腰部をベルト体により拘束可能な３点式シートベルト装置に関する。
【背景技術】
【０００２】
従来、この種の３点式シートベルト装置としては、例えば特許文献１の構成のものが知られている。
【０００３】
この従来の３点式シートベルト装置は、車体の前後方向に配設されたリヤレールおよびフロントレールにスライドデッキが移動可能に取り付けられている。また、リヤシートがスライドデッキに設けられている。さらに、ベルト体の端部を固定するアウタベルトアンカがスライドデッキの後端部に取り付けられている。
【０００４】
そして、アウタベルトアンカがスライドデッキに設けられているため、リヤレールおよびフロントレールに沿ってリヤシートを移動させても、その移動にベルト体が追従でき、座席の着席者を拘束して保持できる。
【先行技術文献】
【特許文献】
【０００５】
【特許文献１】特開２００１−１５０９８６号公報
【発明の概要】
【発明が解決しようとする課題】
【０００６】
ここで、通常、３点式シートベルト装置は、耐衝撃強度などの観点から３点式シートベルト装置による負荷が、車体の強度柱部材すなわち枠体にかかるようにするのが一般的であった。
【０００７】
具体的には、ベルト体の一部を摺動可能に引っ掛けられるガイド部材や、ベルト体を巻き取る巻取具を枠体に取り付け、３点式シートベルト装置にて着席者を保持する際の負荷が枠体にかかるようにしていた。
【０００８】
上述の特許文献１の３点式シートベルト装置においても、ガイド部材としてのリヤベルトアンカ58および巻取具としてのリトラクタ60が、例えば車体の側面の最後部に取り付けられており、枠体などの強度柱部材に取り付けられていると考えられる。
【０００９】
したがって、このような従来の３点式シートベルト装置は、配置が車体における枠体の構成によって限定されてしまい所定の箇所にしか設置できない。
【００１０】
そして、その３点式シートベルト装置の配置にともなって座席の配置も限定されてしまうため、車体内を自由にレイアウトできない。
【００１１】
すなわち、一旦枠体を設計すると、その枠体の構成により３点式シートベルト装置の配置が限定されてしまう。このため、車体内における座席のレイアウトを変更しようとしても、その座席のレイアウトに対応するように３点式シートベルト装置を配置できない。
【００１２】
ここで、例えば採血車や医療防疫車などの特殊車両では、用途に応じて適する車体内のレイアウトが様々である。このため、一旦枠体を設計した後であっても、再度、座席のレイアウトを変更できることが好ましく、座席のレイアウトに対応して３点式シートベルト装置を設置できることが好ましい。
【００１３】
本発明はこのような点に鑑みなされたもので、座席のレイアウトに対応して設置できる３点式シートベルト装置を提供することを目的とする。
【課題を解決するための手段】
【００１４】
請求項１に記載された３点式シートベルト装置は、枠体を有する車体内に設置された座席の着席者の胴体および腰部をベルト体により拘束可能な３点式シートベルト装置であって、前記枠体に対して移動可能に取り付けられ前記座席に対応する位置に固定可能な可動柱と、この可動柱に取り付けられ前記ベルト体の一部が摺動自在に引っ掛けられたガイド部材と、前記ベルト体を巻き取る巻取具とを具備したものである。
【００１５】
請求項２に記載された３点式シートベルト装置は、請求項１記載の３点式シートベルト装置において、枠体は、走行方向に沿って水平にのびる強度柱部材を有し、可動柱は、前記強度柱部材に対して移動可能に取り付けられたものである。
【００１６】
請求項３に記載された３点式シートベルト装置は、請求項１または２記載の３点式シートベルト装置において、巻取具は、可動柱に取り付けられたものである。
【００１７】
請求項４に記載された３点式シートベルト装置は、請求項１ないし３のいずれか一記載の３点式シートベルト装置において、可動柱は、ガイド部材の取付強度より強固に枠体に固定されるものである。
【発明の効果】
【００１８】
請求項１に記載された発明によれば、枠体に移動可能に取り付けられ座席に対応する位置に固定可能な可動柱を具備するため、座席のレイアウトに対応して設置できる。
【００１９】
請求項２に記載された発明によれば、枠体が走行方向に沿って水平にのびる強度柱部材を有し、可動柱が強度柱部材に取り付けられたため、３点式シートベルト装置を座席の位置に対応して適切に設置しやすい。
【００２０】
請求項３に記載された発明によれば、巻取具が可動柱に取り付けられたため、３点式シートベルト装置を適切に設置しやすい。
【００２１】
請求項４に記載された発明によれば、可動柱がガイド部材より強固に固定されるため、所定の耐衝撃強度を得やすい。
【図面の簡単な説明】
【００２２】
【図１】本発明の一実施の形態に係る３点式シートベルト装置の構成を示す側面図である。
【図２】同上３点式シートベルト装置を示す正面図である。
【発明を実施するための形態】
【００２３】
以下、本発明の一実施の形態の構成について図１および図２を参照しながら詳細に説明する。
【００２４】
図１および図２において、１は３点式シートベルト装置であり、この３点式シートベルト装置１は、例えば、献血車や医療防疫車などの特殊車両、バスおよび乗用車などの車両における車体２内に設けられる。
【００２５】
車体２は、枠体３を備え、この枠体３は、車体２の側面に位置し車両の走行方向すなわち前後方向に沿って水平に延びる強度柱部材としての桁材４を有している。また、枠体３は、桁材４から下方に離間し、かつ、桁材４と水平な腰材５を有している。
【００２６】
枠体３には、車体２の側面に位置するように桁材４と腰材５との間に窓部６が設けられている。また、車体２の側面における桁材４と腰材５との間の窓部６が設けられた箇所には、補強材７が設けられている。さらに、車体２の側面における腰材５より下方には壁部８が設けられている。
【００２７】
車体２は、底面に位置するように床部９が略水平に設けられている。そして、車体２内における床部９には、座席11が設置されている。
【００２８】
３点式シートベルト装置１は、ベルト体12を備え、座席11に着席した着席者の胴体および腰部をベルト体12にて拘束して保持する。
【００２９】
また、３点式シートベルト装置１は、枠体３の桁材４および腰材５に対して前後方向に移動可能に取り付けられた可動柱13を備えている。そして、この可動柱13は、車体２内における座席11に対応する位置に固定されている。
【００３０】
さらに、３点式シートベルト装置１は、可動柱13に取り付けられ、ベルト体12の一部が摺動自在に引っ掛けられたガイド部材14を備えている。
【００３１】
また、３点式シートベルト装置１は、可動柱13に取り付けられ、ベルト体12の一端側を巻き取る巻取具としてのリトラクタ15を備えている。なお、ベルト体12の他端部は、図２に示すように座席11に固定されている。
【００３２】
ベルト体12は、例えばポリエステルの繊維などにて帯状に形成されたものである。また、ベルト体12には、図２に示すように接続片16が摺動自在に取り付けられている。この接続片16の先端には、座席11に設けられたバックル17に固定可能な金属製の固定部18が設けられている。
【００３３】
桁材４は、図２に示すように、板状の上面部21と、この上面部21における座席11とは反対側の縁部に一体に接続された板状の側面部22と、この側面部22における上面部21とは反対側の縁部に一体に接続された板状の下面部23とを有している。すなわち桁材４は、上面部21、側面部22および下面部23により断面視で座席11側が開放された略コ字状に構成されている。
【００３４】
可動柱13は、桁材４に固定可能な固定部材24を有している。また、可動柱13は、固定部材24から床部９へ向かってのびるように窓部６に沿って取り付けられた四角柱状の柱部材25を有している。
【００３５】
固定部材24は、図２に示すように、桁材４の上面部21の下側面に接触する板状の固定面部26を有している。
【００３６】
また、固定部材24は、固定面部26における座席11側の縁部に一体に接続され、固定面部26と略垂直な板状の接続面部27を有している。
【００３７】
接続面部27は、固定面部26の縁部に接続された矩形状の第１接続部28と、この第１接続部28から座席11とは反対側へやや折曲され下方へ向かって細く形成された第２接続部29とを有している。
【００３８】
そして、固定部材24は、固定面部26の上側面が桁材４の上面部21の下側面に接触した状態にて、例えば４つのボルト31で固定されている。
【００３９】
また、柱部材25は、上側である一端部が固定部材24の接続面部27の第２接続部29に固定されている。なお、このように柱部材25が固定部材24に固定されることにより、柱部材25における一端部の座席11とは反対側の面が桁材４の下面部23の縁部に接触して可動柱13が窓部６に略水平な状態となるとともに、柱部材25が固定部材24を介して桁材４に固定される。
【００４０】
さらに、柱部材25は、下側である他端部近傍が支持部材32の図示しない凹部に嵌合され、支持部材32が例えば２つのボルト33にて腰材５に固定されることにより、腰材５に対して固定される。
【００４１】
ガイド部材14は、ボルト34にて柱部材25に回動可能に支持されたガイド部材本体35を有している。また、このガイド部材本体35には、ベルト体12を挿通可能な挿通孔36が設けられている。
【００４２】
ここで、可動柱13は、枠体３に対して、可動柱13に対するガイド部材14の取付強度より強固に固定されている。すなわち、ボルト31およびボルト33による可動柱13の固定強度は、ボルト34によるガイド部材14の固定強度より高い。
【００４３】
また、このような固定強度は、ボルト31およびボルト33とボルト34との関係により設定でき、具体的には、ボルト31、ボルト33およびボルト34の径や本数により設定できる。
【００４４】
そして、ベルト体12は、挿通孔36に挿通されることにより、座席11の窓部６側にてガイド部材14に摺動自在に引っ掛けられた状態となる。
【００４５】
リトラクタ15は、柱部材25の他端近傍に取り付けられている。また、リトラクタ15は、常時、ベルト体12の一端側を巻き取るように付勢されている。
【００４６】
このようなリトラクタ15の巻取機能に抗してベルト体12を引っ張ることにより、リトラクタ15に巻き取られた状態のベルト体12を引き出すことができる。
【００４７】
そして、リトラクタ15の巻取機能に抗してベルト体12を引き出した状態で接続片16をバックル17に接続して固定することにより、リトラクタ15の巻取機能によりベルト体12が撓むことなく着席者の胴体および腰部に密着した装着状態となる。
【００４８】
具体的には、ベルト体12における接続片16より一端側であるリトラクタ15側が、着席者の腹部を横断するように腰部に密着して、腰部を座席11に拘束し保持する。また、ベルト体12における接続片16より他端側であるガイド部材14側が、着席者の窓部６側の肩部から窓部６とは反対側の腰部へ向かって傾斜状に胴体に密着して、胴体を座席11に拘束し保持する。
【００４９】
また、座席11の着席者が３点式シートベルト装置１を装着していない状態では、図１および図２に示すように、ベルト体12の一端側がリトラクタ15に巻き取られて壁部８と座席11との間で張設されている。
【００５０】
上記３点式シートベルト装置１を用いて車体２内のレイアウトを設計する際には、まず、車体２内に座席11を設置する。
【００５１】
可動柱13の位置が座席11の位置に対応するように、桁材４の上面部21に可動柱13の一端部である固定部材24をボルト31で固定するとともに、腰材５に可動柱13の他端をボルト33にて固定する。
【００５２】
このように枠体３に固定した可動柱13にガイド部材14およびリトラクタ15を取り付ける。
【００５３】
また、ガイド部材14の挿通孔36にベルト体12を挿通させてガイド部材14にベルト体12を引っ掛け、ベルト体12におけるリトラクタ15とは反対側である他端部を座席11の側部に固定する。
【００５４】
なお、可動柱13の設置位置である座席11に対応する位置とは、座席11の着席者をベルト体12にて適切に固定できる位置である。すなわち、着席者が３点式シートベルト装置１を装着した状態にて、適切な強度で着席者の胴体および腰部を保持でき、また、座席11を回転させる際に座席11の回転がベルト体12により阻害されない位置である。
【００５５】
ここで、例えば、車体２内のレイアウトを設計し直す際には、車体２内において座席11を所望の位置に設置する。
【００５６】
また、ボルト31およびボルト33による可動柱13の固定を解除し、可動柱13を移動可能な状態にする。
【００５７】
桁材４における上面部21に沿って可動柱13の固定部材24を摺動させて、例えば、図１に二点鎖線で示すように、座席11に対応する位置に可動柱13を移動させる。
【００５８】
可動柱13の位置が座席11の位置に対応した状態で、ボルト31およびボルト33で可動柱13を枠体３に固定する。
【００５９】
次に、上記一実施の形態の作用および効果を説明する。
【００６０】
上記３点式シートベルト装置１によれば、可動柱13が枠体３に移動可能に取り付けられ、座席11に対応する位置に固定可能であるため、車体２の構造を考慮せずに座席11のレイアウトに対応して設置できる。
【００６１】
すなわち、特許文献１などのように車体２の構成に合わせて３点式シートベルト装置１および座席11の設置位置を設定するのではなく、座席11の配置に合わせて３点式シートベルト装置１を設置できる。
【００６２】
したがって、例えば車体２内を再度レイアウトする際に、座席11を図１における実線で示す位置から二点鎖線で示す位置へ移動させても、座席11と３点式シートベルト装置１との位置関係が移動前後で変化せずに３点式シートベルト装置１を設置できるため、車体２内を容易にレイアウトし直すことができる。また、枠体３のみを予め設計し、所望の用途やデザインに合わせて座席11を設置しその座席11の配置に対応して３点式シートベルト装置１を設置できるため、車体２内を自由にレイアウトできるとともに、車体２を容易に製造できる。
【００６３】
また、３点式シートベルト装置１は、座席11に対応する位置に設置できるため、座席11を回転させる際などに座席11の回転がベルト体12に阻害されず、座席11を回転させた状態でも座席11の着席者をベルト体12にて適切に拘束して保持できる。
【００６４】
枠体３が、走行方向に沿って水平にのびる強度柱部材としての桁材４および腰材５を有し、可動柱13が、これら桁材４および腰材５に固定されているため、可動柱13を枠体３に強固に固定できるとともに、可動柱13を桁材４および腰材５に沿って自在に移動でき、３点式シートベルト装置１を座席11の位置に対応して設置しやすい。
【００６５】
巻取具であるリトラクタ15が、可動柱13に取り付けられているため、座席11に対してベルト体12を適切な位置に設置できるとともに、ベルト体12の一端側をリトラクタ15とともに所定の耐衝撃強度にて確実に固定でき、３点式シートベルト装置１を適切に設置しやすい。
【００６６】
可動柱13は、枠体３に対して、可動柱13に対するガイド部材14の固定の強度より強固に固定されることにより、可動柱13が枠体３に確実に固定されて強度柱部材として適切に作用するため、所定の耐衝撃強度を得やすく、一般的な強度の車体２に対しても３点式シートベルト装置１を適切に設置できる。
【００６７】
なお、上記一実施の形態では、枠体３が走行方向（前後方向）に沿って水平にのびる桁材４および腰材５を有する構成としたが、このような構成には限定されず、枠体３の構成は適宜設計できる。
【００６８】
可動柱13は、固定部材24と柱部材25とを有する構成としたが、このような構成には限定されず、枠体３に移動可能に取り付けられ座席11に対応する位置に固定できる構成であれば適宜設計できる。
【００６９】
また、可動柱13は、車体２の前後方向に沿って水平にのびる桁材４および腰材５に移動可能に取り付けられた構成としたが、このような構成に限定されず、可動柱13が枠体３に移動可能に取り付けられた構成であれば、枠体３の構成は適宜設計でき、それに応じて可動柱13の移動方向も適宜設定できる。
【００７０】
さらに、可動柱13は、ボルト31およびボルト33により固定された構成としたがこのような構成には限定されず、可動柱13を枠体３に固定できればその固定手段は適宜選択できる。
【００７１】
また、可動柱13は、ガイド部材14より強固に固定された構成としたが、このような構成には限定されず、可動柱13およびガイド部材14の固定の強度は適宜設定できる。
【００７２】
リトラクタ15は、可動柱13に取り付けられた構成としたが、このような構成には限定されず、座席11とベルト体12とが適切な配置関係であり、かつ、ベルト体12を所定の強度で固定できる構成であれば、リトラクタ15の設置箇所は適宜設定できる。
【符号の説明】
【００７３】
１    ３点式シートベルト装置
２    車体
３    枠体
４    強度柱部材としての桁材
５    強度柱部材としての腰材
11    座席
12    ベルト体
13    可動柱
14    ガイド部材
15    巻取具としてのリトラクタ
【図１】
2014141219.tif 000003
【図２】
2014141219.tif 000004